(57)【特許請求の範囲】
【請求項１】
戸板（２）をその上方に敷設されているガイドレールに沿って案内するべく当該戸板（２）に取り付けられるガイド装置（１）であって、
戸板（２）の上端部に取り付けられるケース体（７）と、
前記ケース体（７）の上端面から突出し前記ガイドレールに案内されるガイド軸（４）と、
前記ガイド軸（４）を保持しつつ前記ケース体（７）内にて前記戸板（２）の厚さ方向に移動するガイド軸保持体（８）と、
前記ケース体（７）の両側板部に相対向させて形成された一対のピン挿着孔に挿着され、前記ガイド軸保持体（８）を前記戸板（２）の厚さ方向にガイドするガイドピン（１４）と、
前記ケース体（７）と前記ガイド軸保持体（８）とを互いに相対移動させて前記ガイド軸（４）の位置を調節するための調節機構（９）と、を有し、
前記調節機構（９）は、
前記ガイド軸保持体（８）を移動操作するために前記戸板（２）の木口面に露出させて設けられ、挿入側端部に係合溝部（３５）を備えた操作子（２２）と、
前記ガイド軸保持体（８）の前記操作子（２２）と当接する位置に設けられ、前記操作子（２２）の前記係合溝部（３５）と係合する係合突起部（３４）と、
前記ケース体（７）に形成された第１ラック（２３）と、
前記ガイド軸保持体（８）に形成され前記第１ラック（２３）と噛合する第２ラック（２４）と、を有し、
前記操作子（２２）を回動させると、前記係合溝部（３５）の一方の側壁が前記係合突起部（３４）の一方の側面に係合し、前記操作子（２２）を逆側に回動させると、前記係合溝部（３５）の他方の側壁が前記係合突起部（３４）の他方の側面に係合するように構成されており、前記操作子（２２）の回転操作により前記係合溝部（３５）を回転させることで、前記係合突起部（３４）を移動させ、前記ケース体（７）と前記ガイド軸保持体（８）とを、前記ガイドピン（１４）に沿って互いに相対移動させることにより、前記第１ラック（２３）と前記第２ラック（２４）との互いの噛合位置が段階的に変化するとともに、前記ケース体（７）と前記ガイド軸保持体（８）とが両ラック（２３）、（２４）同士の噛合により互いに係止され、前記ケース体（７）の側板部が前記ガイド軸保持体（８）に当接した時点で、前記操作子（２２）が回転しなくなるように構成した、ガイド装置。
【請求項２】
前記ガイド軸（４）の下部にはコイルスプリングが環装された、請求項１のガイド装置。
【発明の詳細な説明】
【技術分野】
【０００１】
本発明は、戸板をその上方に敷設されているガイドレールに沿わせて案内するべく戸板に取り付けられるガイド装置に関し、より詳細には、戸板をガイドレールによる案内方向と水平方向に直交する方向に位置調整する機構を備えたガイド装置に関する。
【背景技術】
【０００２】
戸板をガイドレールによる案内方向と水平方向に直交する方向に位置調整する機構を備えたガイド装置として、戸板の上端部に固定されるケース体（アウターケース）と、ケース体の上方に突出してガイドレールに案内されるガイド軸と、ケース体内に戸板の厚さ方向にスライド可能に設けられたガイド軸保持体（インナー部）と、ガイド軸保持体をスライド操作するための回動操作部とを備えたものが知られている（特許文献１）。この従来のガイド装置によれば、回動操作部を操作してケース体内におけるガイド軸保持体の位置を調節することにより、ガイド軸保持体に保持されているガイド軸を移動させて、戸板のガイドレールによる案内方向と直交する方向における位置を調節することができる。
【特許文献１】特開平９−３１０５５１号公報
【発明の開示】
【発明が解決しようとする課題】
【０００３】
しかし、上述した従来の技術では、回動操作部にその回動方向に等間隔に並設された半球状の凸部からなる嵌合部とケース体（アウターケース）に開孔された凹部からなる嵌合部との互いの嵌合位置を相対的に段階的に変化させることによって、ガイド軸保持体（インナー部）の位置が段階的に調節され、且つ、ガイド軸保持体（インナー部）が調節後の位置に保持されるように構成されているため、ガイド軸保持体（インナー部）を調節後の位置に保持する力が弱い。すなわち、ガイド軸保持体（インナー部）にスライド方向に力が作用すると、その力に屈して回動操作部とケース体（アウターケース）との嵌合が解けて回動操作部が回動し、ガイド軸保持体（インナー部）がスライドすることになる。このため、ガイドレールに組み付けられている戸板にその厚さ方向に力が加わると、ガイド軸保持体がケース体（アウターケース）内で移動しやすく、戸板の位置調節を行っても、何回か開閉するうちに戸板が所望の保持位置から変位してしまうという問題があった。
【０００４】
本発明が解決しようとする課題は、戸板をガイドレールによる案内方向と直交する方向に位置調整して調節後の位置に安定な状態に保持することができるガイド装置を提供することにある。
【課題を解決するための手段】
【０００５】
上記課題を解決するために、本発明のガイド装置は、  戸板（２）をその上方に敷設されているガイドレールに沿って案内するべく当該戸板（２）に取り付けられるガイド装置（１）であって、
戸板（２）の上端部に取り付けられるケース体（７）と、
前記ケース体（７）の上端面から突出し前記ガイドレールに案内されるガイド軸（４）と、
前記ガイド軸（４）を保持しつつ前記ケース体（７）内にて前記戸板（２）の厚さ方向に移動するガイド軸保持体（８）と、
前記ケース体（７）の両側板部に相対向させて形成された一対のピン挿着孔に挿着され、前記ガイド軸保持体（８）を前記戸板（２）の厚さ方向にガイドするガイドピン（１４）と、
前記ケース体（７）と前記ガイド軸保持体（８）とを互いに相対移動させて前記ガイド軸（４）の位置を調節するための調節機構（９）と、を有し、
前記調節機構（９）は、
前記ガイド軸保持体（８）を移動操作するために前記戸板（２）の木口面に露出させて設けられ、挿入側端部に係合溝部（３５）を備えた操作子（２２）と、
前記ガイド軸保持体（８）の前記操作子（２２）と当接する位置に設けられ、前記操作子（２２）の前記係合溝部（３５）と係合する係合突起部（３４）と、
前記ケース体（７）に形成された第１ラック（２３）と、
前記ガイド軸保持体（８）に形成され前記第１ラック（２３）と噛合する第２ラック（２４）と、を有し、
前記操作子（２２）を回動させると、前記係合溝部（３５）の一方の側壁が前記係合突起部（３４）の一方の側面に係合し、前記操作子（２２）を逆側に回動させると、前記係合溝部（３５）の他方の側壁が前記係合突起部（３４）の他方の側面に係合するように構成されており、前記操作子（２２）の回転操作により前記係合溝部（３５）を回転させることで、前記係合突起部（３４）を移動させ、前記ケース体（７）と前記ガイド軸保持体（８）とを、前記ガイドピン（１４）に沿って互いに相対移動させることにより、前記第１ラック（２３）と前記第２ラック（２４）との互いの噛合位置が段階的に変化するとともに、前記ケース体（７）と前記ガイド軸保持体（８）とが両ラック（２３）、（２４）同士の噛合により互いに係止され、前記ケース体（７）の側板部が前記ガイド軸保持体（８）に当接した時点で、前記操作子（２２）が回転しなくなるように構成したことを特徴とする。
【０００６】
上記構成によれば、操作子を操作してガイド軸保持体をスライドさせると、第1ラックと第２ラックとの互いの噛合位置が段階的に変化する。そして、第1ラックと第２ラックとの各噛合位置においてケース体とガイド軸保持体とが互いに直接係止された状態になるので、ガイド軸保持体が調節後の位置に安定な状態に保持される。
【０００７】
本発明のガイド装置において、
前記ガイド軸の下部にはコイルスプリングが環装されていることが望ましい。
【発明の効果】
【００１０】
本発明のガイド装置によれば、戸板をガイドレールによる案内方向と水平方向に直交する方向に位置調整して、戸板の開閉時においてもその調節後の位置に安定な状態に保持することができる。
【発明を実施するための最良の形態】
【００１１】
以下、本発明の実施形態について図面を参照して説明する。
【００１２】
図１は本発明に係るガイド装置の全体とこれが取り付けられる戸板の上端部を示す斜視図である。図２は図１に示すガイド装置の分解斜視図である。図３は図１に示すガイド装置の図２とは別の方向の分解斜視図である。図４（ａ）〜（ｃ）はそれぞれ図１に示すガイド装置の側面図、正面図及び平面図である。図４（ｄ）は図４（ａ）のＢ−Ｂ線に沿った断面図、図４（ｅ）は図４（ｄ）の要部拡大図である。図５はガイド装置の構成要素の一つであるガイド軸保持体の斜視図である。図６はガイド装置の構成要素の一つであるケース体の全体とその要部を並べて示した斜視図である。
【００１３】
このガイド装置１は、戸板２をその上方に敷設されているガイドレール（図示省略）に沿わせて案内するべく戸板２の上部両端に取り付けられるガイド装置であり、戸板２に取り付けられる支持部材３と、支持部材３の上端面から突出しガイドレールに案内されるガイド軸４と、ガイド軸４の先端近傍にこれを軸にして回転可能に保持されたピボット５とを備えている。そして、ピボット５がガイドレールのスリットに摺動可能に係合することにより、ガイドレールからの戸板２の外れを防止するとともに、戸板２の前後方向への変位（がたつき）を抑えつつ開閉方向（左右）への円滑な移動を可能としている。このガイド軸４は、折戸にも引き戸にも使用することができる。
【００１４】
支持部材３は、戸板２の上側隅部に形成された凹部６に嵌め込んだ状態で固定されるケース体７と、ケース体７内に戸板２の厚さ方向にスライド可能に設けられたガイド軸保持体８と、ガイド軸保持体８をスライドさせてこれに保持されているガイド軸４の位置を調節するための調節機構９と、を有している。この例では、凹部６は戸板２の厚さ方向中央部に形成されている。
【００１５】
ケース体７とガイド軸保持体８は硬質プラスチックからなる成型品である。ケース体７の下部前面には、締着工具（ドライバ等）を差し込むための差し込み孔１０が開口している。支持部材３は、戸板２の凹部６に嵌め込んだ状態で、ケース体７の差し込み孔１０の奥に螺子を挿し入れて締着工具で凹部６の内面に締め付けることにより戸板２に固定される。ケース体７の上面は戸板２の上端面２ａに露出し、ケース体７の前面は戸板２の戸口面に露出している。ケース体７の上板部１１には、ガイド軸４の位置調節方向への移動領域となる貫通孔１２が設けられている。ガイド軸４はその下部がガイド軸保持体８に保持され、その上部が貫通孔１２を貫通してケース体７から突出している。ケース体７の両側板部１３ａ、１３ｂの上端近傍には、ガイドピン１４を挿着するための一対のピン挿着孔１５ａ、１５ｂ（図２、図４（ｄ））が相対向させて形成されている。ガイドピン１４は、ガイド軸保持体８を戸板２の厚さ方向にガイドする円筒状の金属製の部材であり、その先端部１４ａがピン挿着孔１５ｂに嵌合している。
【００１６】
ケース体７の前板部１７すなわち木口面側の側壁には操作窓２５が開口している。ケース体７の背面部には、ガイド軸保持体８をケース体７内に組み付けるための開口部１６が設けられている。ガイド軸保持体８の前面側すなわちケース体７の前板部１７の内面に面する側の上隅近傍にはガイド孔１９が形成されている。ガイド孔１９にはガイドピン１４がスライド自在に挿通されている。ガイド軸保持体８の背面近傍には、ガイド軸４をスライド自在に保持する保持孔１８が形成されている。保持孔１８は、ガイド軸保持体８を上下に貫通している。保持孔１８の内周形状は、上側開口部１８ａから下側開口部１８ｂの近傍にかけて正六角形になっている。下側開口部１８ｂの形状は円形である。
【００１７】
ガイド軸４の一方の端部（下端部）にはくびれ溝４ａが形成されている。ガイド軸４の長さ方向中間部には、外周が六角柱状の大径部２０が設けられており、大径部２０の上端近傍にピボット５が回転自在に保持されている。ガイド軸保持体８の保持孔１８は、ガイド軸４の大径部２０の形状及び寸法に合わせて形成され、下側開口部１８ｂはガイド軸４の大径部２０よりも下の部分の形状及び寸法に合わせて形成されている。ガイド軸４は、くびれ溝４ａが設けられている方の端部からガイド軸保持体８の上側開口部１８ａに挿入され、保持孔１８を貫通して下側開口部１８ｂから突出している。くびれ溝４ａには、ガイド軸４の抜け止めのためにフランジ状の抜け止め金具２１が固定されている。ガイド軸４の下部にはコイルスプリング３８が環装されている。コイルスプリング３８は、大径部２０の下端と保持孔１８の下側開口部１８ｂの周縁部との間に挟まれている。このコイルスプリング３８によって、ガイド軸４が上下動可能に弾力的に支持されている。
【００１８】
調節機構９は、ガイド軸保持体８をスライド操作するために戸板２の木口面２ｂに露出させて設けられた操作子２２と、ケース体７に形成された第1ラック２３と、ガイド軸保持体８に形成された第２ラック２４とを有する。第1ラック２３及び第２ラック２４はガイド軸保持体８のスライド方向に並設された複数の歯からなる。第1ラック２３の歯数は第２ラック２４の歯数よりも少ない。
【００１９】
操作子２２は、円柱状の本体２６と、本体２６よりも大径に形成された円板状の操作部２７とを有する。操作部２７は本体２６の一方の端部（反挿入側端部）に一体的に形成されている。操作子２２は、ケース体７の前面側から操作窓２５に挿入されてケース体７内に組み付けられている。操作部２７は操作窓２５から露出している。操作部２７の中央部には操作用の工具（この例では十字ドライバ）の先端を係合させるための係合部２８が形成されている。
【００２０】
操作子２２の本体２６には操作部２７に隣接させて円環状の係合フランジ２９が形成されている。操作窓２５の内周面部には係合爪３０が形成されている。操作子２２は、その係合フランジ２９が操作窓２５の係合爪３０と係合することにより、ケース体７の前板部１７に回動可能に嵌合した状態で保持されている。
【００２１】
操作部２７の周縁下部には回動位置を指し示す支持突起３１が形成されている。操作窓２５の開口縁下部には、支持突起３１の移動空間となる円弧状の切欠部３２が形成されている。
【００２２】
第1ラック２３は前板部１７の内面に形成されている。第1ラック２３の形成位置は操作窓２５の内側開口部の下方近傍である。一方、第２ラック２４は、ガイド軸保持体８の下端前縁部３３に形成されている。下端前縁部３３は前方に迫り出しており、下端前縁部３３の上面とガイド軸保持体８の下部前面との間に位置調整用係合突起部３４が形成されている。位置調整用係合突起部３４の形成位置は第２ラック２４の長さ方向中央である。
【００２３】
操作子２２の本体２６の他方の端部（挿入側端部）には、ガイド軸保持体８の位置調整用係合突起部３４と係合する係合溝部３５が形成されている。位置調整用係合突起部３４と係合溝部３５は互いに嵌合している。そして、操作子２２を回動させると、係合溝部３５の一方の側壁が位置調整用係合突起部３４の一方の側面に係合し、操作子２２を逆側に回動させると、係合溝部３５の他方の側壁が位置調整用係合突起部３４の他方の側面に係合する。すなわち、操作子２２を右に回動させると、係合溝部３５の右側壁が位置調整用係合突起部３４の右側面に係合し、ガイド軸保持体８を左に回動させると、係合溝部３５の左側壁が位置調整用係合突起部３４の左側面に係合する。ケース体７の前面には、操作子２２の回転方向を示す円弧状の矢印３６が付されている。矢印３６の両端近傍には、向きを示す文字（「右」、「左」）３７ａ、３７ｂが付されている。「左」・「右」は、戸板２が移動する向き、すなわち「前」・「後」あるいは「手前」・「奥」に対応している。
【００２４】
上記のように構成されたガイド装置１は、下記（１）〜（３）の手順で組み立てられる。（１）ガイド軸保持体８をケース体７に入れ、ケース体７のピン挿着孔１５ａ、１５ｂとガイド軸保持体８のガイド孔１９との位置を合わせ、一方のピン挿着孔１５ａからケース体７内にガイドピン１４を差し込み、ガイドピン１４の先端部１４ａをケース体７のもう一方のピン挿着孔１５ｂに嵌合させる。そして、その先端部１４ａをかしめることにより、ガイドピン１４の抜けを防止する。
（２）ケース体７の貫通孔１２を通して、ガイド軸保持体８の保持孔１８の中にコイルスプリング３８を挿入するとともに、ガイド軸４を保持孔１８に挿入し、ガイド軸４の大径部２０を保持孔１８に嵌合させる。ガイド軸４の下端部を保持孔１８の下側開口部１８ｂから突出させた状態で、ガイド軸４のくびれ溝４ａに抜け止め金具２１を固定する。
（３）操作子２２を操作窓２５からケース体７に差し込み、操作子２２の係合フランジ２９を操作窓２５の係合爪３０に係合させる。
【００２５】
以上により、ガイド装置１が完成する。
【００２６】
図７（ａ）〜（ｃ）はガイド装置１の各種状態を示す断面図である。
【００２７】
図７（ｂ）はガイド軸４がケース体７との相対移動範囲の中心位置にある状態を示している。この状態から、操作子２２を右（図中の矢印Ｒ１の向き）に回すと、ガイド軸保持体８に対してケース体７が右側（図中のＲ２の向き）に移動する。ガイド軸保持体８とケース体７との相対移動に伴ってケース体７の第1ラック２３とガイド軸保持体８第２ラック２４との互いの噛合位置が段階的に変化する。そして、第1ラック２３と第２ラック２４との各噛合位置においてケース体７とガイド軸保持体８とが互いに係合し固定された状態になる。
【００２８】
ガイド装置１の使用時には、ガイド軸保持体８に保持されているガイド軸４がガイドレールに連結され、ケース体７が戸板２に固定されているので、操作子２２を右（図中の矢印Ｒ１の向き）に回すと、ケース体７と共に戸板２が右側（図中のＲ２の向き）に移動することになる。操作子２２は、ケース体７の左側板部１３ａがガイド軸保持体８に当接した時点でそれ以上右側に回らなくなる。図７（ａ）はこの時の状態すなわち、戸板２が右側への最大移動位置に位置調節されている状態を示している。
【００２９】
図７（ｂ）の状態から、操作子２２を左（図中の矢印Ｌ１の向き）に回すと、ガイド軸４に対してケース体７が左側（図中のＬ２の向き）に移動するため、ケース体７と共に戸板２が左側（図中のＬ２の向き）に移動する。操作子２２は、ケース体７の右側板部１３ｂがガイド軸保持体８に当接した時点でそれ以上左側に回らなくなる。図７（ｃ）はこの時の状態すなわち、戸板２が左側への最大移動位置に位置調節されている状態を示している。
【００３０】
上記のようにこのガイド装置１は、操作子２２を回動操作することにより、ケース体７に形成されている第1ラック２３とガイド軸保持体８に形成されている第２ラック２４との互いの噛合位置を段階的に変化させて、ケース体７とガイド軸保持体８との相対位置を調節し、それによって戸板２の位置調整を行う。その際、第1ラック２３と第２ラック２４との各噛合位置においてケース体７とガイド軸保持体８とが互いに直接係止された状態になる。したがって、このガイド装置１によれば、戸板２をその調節後の位置に安定な状態に保持することができる。
【００３１】
また、このガイド装置１は、従来の装置よりも構造が単純で、部品点数が少ないため、組み立てが簡単である、安価に製造できる、耐久性が高い、といった利点を有する。
【図面の簡単な説明】
【００３２】
【図１】本発明に係るガイド装置の全体とこれが取り付けられる戸板の上端部を示す斜視図
【図２】図１に示すガイド装置の分解斜視図
【図３】図１に示すガイド装置の図２とは別の方向の分解斜視図
【図４】（ａ）〜（ｃ）はそれぞれ図１に示すガイド装置の側面図、正面図及び平面図、（ｄ）は図４（ａ）のＢ−Ｂ線に沿った断面図、図４（ｅ）は図４（ｄ）の要部拡大図
【図５】図１に示すガイド装置の構成要素の一つであるガイド軸保持体の斜視図
【図６】図１に示すガイド装置の構成要素の一つであるケース体の全体とその要部を並べて示した斜視図
【図７】（ａ）〜（ｃ）は図１に示すガイド装置の各種状態を示す断面図
【符号の説明】
【００３３】
１  ガイド装置
２  戸板
３  支持部材
４  ガイド軸
５  ピボット
７  ケース体
８  ガイド軸保持体
９  調節機構
１６  開口部
１７  側壁
１８  保持孔
１９  ガイド孔
２２  操作子
２３  第1ラック
２４  第２ラック
２５  操作窓
２７  操作部
２８  係合部
２９  係合フランジ
３０  係合爪
【図１】
0005341384.tif 000002
【図２】
0005341384.tif 000003
【図３】
0005341384.tif 000004
【図４】
0005341384.tif 000005
【図５】
0005341384.tif 000006
【図６】
0005341384.tif 000007
【図７】
0005341384.tif 000008